(57)【要約】【課題】複数のデジタルカメラを併用して撮影したり、日本と時差のある海外においてデジタルカメラで撮影すると、画像再生の順序が実際の画像撮影順に一致しない。【解決手段】画像再生表示時に画像とともに表示可能な時刻情報が画像ファイル５０のヘッダ部５１の領域５１ｂにＥＸＩＦデータとして記録されるとともに、デジタルカメラ固有の時刻情報がヘッダ部５１の領域５１ｃに記録される。表示時刻情報だけでなく固有時刻情報が画像ファイル５０に記録されるため、時差のある海外において表示時刻を修正、変更してデジタルカメラで撮影しても、固有時刻情報に基づいて実際の撮影順に画像が再生表示される。【選択図】図３
2007235741.tif 000002
【特許請求の範囲】
【請求項１】
画像再生表示時に画像とともに表示可能な時刻情報が画像ファイルのヘッダ部にＥＸＩＦデータとして記録されるとともに、デジタルカメラに固有の時刻情報が、画像ファイルの、前記ＥＸＩＦデータとして記録される時刻情報とは異なるヘッダ部に記録される画像ファイルの記録方法。
【請求項２】
撮像記録装置で被写体を撮像して画像ファイルとしてファイル名を付して記録手段に記録するに際し、当該記録手段に記録する画像ファイルを再生表示した際に当該表示画像とともに表示可能な第１の撮影時刻情報を当該画像ファイル内に記録するとともに、前記表示される撮影時刻とは別個に設定され当該撮像記録装置における撮影順を特定可能な第２の撮影時刻情報を当該画像ファイル内に記録し、
前記第１の撮影時刻情報の時刻順の画像再生表示、前記第２の撮影時刻情報の時刻順の画像再生表示、画像ファイル名に基づく順番の画像再生表示のいずれかを実行可能であり、いずれの順番の画像再生においても前記第１の撮影時刻情報を再生画像とともに表示可能とした画像記録再生表示方法。
【請求項３】
撮像記録装置で被写体を撮像して画像ファイルとしてファイル名を付して記録手段に記録するに際し、当該記録手段に記録する画像ファイルを再生表示した際に当該表示画像とともに表示可能な第１の撮影時刻情報を当該画像ファイル内に記録するとともに、前記表示される撮影時刻とは別個に設定され当該撮像記録装置における撮影順を特定可能な第２の撮影時刻情報を当該画像ファイル内に記録する画像記録装置と、
前記第１の撮影時刻情報の時刻順の画像再生表示、前記第２の撮影時刻情報の時刻順の画像再生表示、画像ファイル名に基づく順番の画像再生表示のいずれかを実行可能であり、いずれの順番の画像再生においても前記第１の撮影時刻情報を再生画像とともに表示可能とした画像再生表示装置と、
を有する画像記録再生表示システム。
【請求項４】
撮像記録装置で被写体を撮像して画像ファイルとしてファイル名を付して記録手段に記録するに際し、当該記録手段に記録する画像ファイルを画像再生表示装置に再生表示した際に当該表示画像とともに表示可能な第１の撮影時刻情報を当該画像ファイル内に記録するとともに、前記表示される撮影時刻とは別個に設定され当該撮像記録装置における撮影順を特定可能な第２の撮影時刻情報を当該画像ファイル内に記録する画像記録装置であって、
画像再生表示装置において、前記第１の撮影時刻情報の時刻順の画像再生表示、前記第２の撮影時刻情報の時刻順の画像再生表示、画像ファイル名に基づく順番の画像再生表示のいずれかを実行可能であり、いずれの順番の画像再生においても前記第１の撮影時刻情報を再生画像とともに表示可能としたことを特徴とする画像記録装置。
【請求項５】
前記第１の撮影時刻情報を前記第２の撮影時刻情報に置き換えて、両時刻情報を一致させることが可能な請求項４記載の画像記録装置。
【請求項６】
撮像記録装置で被写体を撮像して画像ファイルとしてファイル名を付して記録手段に記録するに際し、当該記録手段に記録する画像ファイルを再生表示した際に当該表示画像とともに表示可能な第１の撮影時刻情報を当該画像ファイル内に記録するとともに、前記表示される撮影時刻とは別個に設定され当該撮像記録装置における撮影順を特定可能な第２の撮影時刻情報を当該画像ファイル内に記録する画像記録装置によって記録された画像ファイルに対し、
前記第１の撮影時刻情報の時刻順の画像再生表示、前記第２の撮影時刻情報の時刻順の画像再生表示、画像ファイル名に基づく順番の画像再生表示のいずれかを実行可能であり、いずれの順番の画像再生においても前記第１の撮影時刻情報を再生画像とともに表示可能としたことを特徴とする画像再生表示装置。
【発明の詳細な説明】
【技術分野】
【０００１】
本発明は、デジタルカメラで被写体を撮影して画像ファイルとして記録する方法、記録した画像ファイルをパーソナルコンピュータ（パソコン）などに取り込んで再生表示する方法、システム及びその装置に関する。
【背景技術】
【０００２】
デジタルカメラで撮影した画像データは、一般的に、ＪＰＥＧ形式に変換されて画像ファイル形式で記録媒体などに記録されている。異なるメーカーのデジタルカメラ間での画像ファイルの互換性を確保するためのＤＣＦ規格や、シャッタ速度や撮影日時データなどの撮影に関する情報の互換性を確保しながら記録するためのＥＸＩＦ規格が規定されており、どのメーカーのデジタルカメラで撮影を行なってもデータ相互の互換性がこれらの規格のもとで確保されて、ユーザの利便がはかられている。
【０００３】
デジタルカメラで撮影した画像データをパーソナルコンピュータ（パソコン）などの記録装置に保存する場合、一般的に、パソコンにフォルダを作成し、作成したフォルダに画像データをコピーして画像ファイルが保存、記録されている。しかし、この記録方法では、記録される画像データの作成日時が、デジタルカメラからパソコンに保存、記録される日時となるため、記録された画像ファイルからデジタルカメラでの撮影日時を知ることができず、撮影日時順での画像ファイルの管理が難しい。
【０００４】
撮影日時順に画像データのソートを行えるように、例えば、特開２０００−３２２３００号公報には、デジタルスチルカメラが記憶している画像データを読み込んで記録する場合に、保存するファイルのタイムスタンプをカメラでの撮影日時データに変更する技術が記載されている。また、ファイル名及びフォルダ名を画像データの作成日付すなわち撮影日時として設定できる点も記載されている。
【特許文献１】特開２０００−３２２３００号公報
【発明の開示】
【発明が解決しようとする課題】
【０００５】
デジタルカメラで撮影を行なうと、デジタルカメラに着脱自在に装着あるいはデジタルカメラに内蔵された記録媒体に、撮影画像が画像ファイルとして記録される。この時、画像ファイルの互換性を保つために、一般的に、前述の各規格に準拠して記録フォーマットなどが決定されている。画像ファイルにはファイル名とともに撮影時刻も記録され、画像再生表示を行なう際にはその撮影日時も画面表示可能となっている。
【０００６】
撮影日時を画像とともに表示したいというニーズは古くから存在し、フィルムカメラにおいてもフィルム上に光学的に撮影日時を写し込み、プリントされた写真上において撮影日時を把握できるようになっている。
【０００７】
ところで、最近では多くの人が、ビジネス、旅行などで海外に出かけており、時差のある海外に出かける場合には撮影日時について混乱が生じ、問題がある。例えば、日本を出発したのが１月１５日１８時３０分として、飛行機に８時間乗ってサンフランシスコに到着したと仮定すると、サンフランシスコの到着時刻は日本時間では１月１６日０２時３０分となる。しかし、日本とサンフランシスコとの間には１７時間の時差（サンフランシスコが１７時間遅い）があるので現地時刻は１月１５日０９時３０分になる。即ち、日本を出発したのと同じ日付で日本を出発した時刻よりも早い現地到着時刻となる。通常は、現地に到着した以降は現地時間に合わせた生活となるため、現地に到着した時点あるいは現地に到着する直前に腕時計等の時刻を現地時間に修正している。
【０００８】
持参したデジタルカメラについて考察すると、画像ファイルに記録される撮影時刻を決定するカメラに内蔵された時計機能の時刻を何ら修正しなければ撮影画像に記録される時刻はすべて日本時間になり、画像再生時の時刻表示もすべて日本時間になる。そのため、例えば、現地の観光地で日中に撮影した画像に表示される時刻が、日本との間に存在する時差のために夜中の時刻となることもあり、画像とともに表示される時刻と画像の内容との間の違和感は否めない。現地では腕時計を現地時間に修正し、現地の時刻に沿った生活をしているのであるから、再生画像とともに表示される時刻も現地時間が表示されるのが望ましい。
【０００９】
従って、この違和感の発生を防ぐためにデジタルカメラに内蔵されている時計機能の時刻を現地時間に修正すればよいが、上記例では、日本出発時刻が１月１５日１８時３０分であるのに対し、現地到着時時刻が同じ日付で出発時刻より早い１月１５日０９時３０分となる。この場合、例えば日本出発時に撮影した画像の撮影時刻は、１月１５日１８時３０分であり、その後、８時間飛行機に乗り、その飛行機の中でデジタルカメラの時刻を現地時間に修正し、飛行機がサンフランシスコに到着した時に画像を撮影したとすれば、その画像の撮影時刻は１月１５日９時３０分となる。即ち、サンフランシスコ到着時の撮影画像は、撮影を行なった順序と矛盾する撮影時刻を有する画像となり、記録された画像の撮影時刻の順序と実際の撮影日時の順序とが一致せず、混乱が生じる。
【００１０】
多数の画像を撮影して海外から日本に帰国した後にその画像をパーソナルコンピュータなどの記録装置に取り込んで再生表示した場合には、上述のように撮影を行なった順序と撮影時刻の順序が不一致となり好ましくない。ここで、１台のデジタルカメラを使用して撮影したのであれば、画像ファイルの名称順に再生を行えば実際の撮影順での画像再生が可能となる。しかし、デジタルカメラを複数、例えば２台使用して撮影を行なう場合には画像ファイルの名称順で画像再生を行っても実際の撮影順にはならない。この点を詳細に説明する。ここでは、例えばＡ社のデジタルカメラを２台使用して撮影を行なう場合について述べる。
【００１１】
ファイル名の詳細な決定方法はメーカー毎に相違し、例えば、Ａ社のデジタルカメラにおけるファイル名は、ＤＳＣＰ０００１から始まり、２枚目以降の画像ファイルはＤＳＣＰ０００２、ＤＳＣＰ０００３と数字部分が１ずつ増加する。また、Ｂ社のデジタルカメラでは、ＫＩＭＧ０００１から始まり、同様にＫＩＭＧ０００２、ＫＩＭＧ０００３と数字部分が増加する。さらに、Ｃ社のデジタルカメラでは、Ｇ１１２５００１から始まり、同様にＧ１１２５００２と進むが、この「１１２５」は撮影日付を表し、撮影時にデジタルカメラに内蔵されている時計手段から日付情報を取得した後にファイル名が決定される。００１は撮影順に繰り上がる数字部分であり、日付とは無関係に００１から始まり、００２、００３と進む。従って、例えば、１１月２５日に１枚目と２枚目、１１月２６日に３枚目を撮影した場合のファイル名は、それぞれＧ１１２５００１、Ｇ１１２５００２、Ｇ１１２６００３となる。
【００１２】
同じデジタルカメラで撮影を続ける限り、記録媒体を交換してもファイル名生成のための基本情報はリセットされないで異なる記録媒体について連続したファイル番号の付される技術が特開１０−１７７６４６に開示されている。この機能は現在きわめて一般的に採用されている技術であり、使用される２台のＡ社のデジタルカメラについてもこの機能を有し、連続したファイル番号が付されるものとする。
【００１３】
例えば、２台のＡ社のデジタルカメラを持参して海外に出かけ、この２台を併用して撮影を行なった結果、１台目のデジタルカメラで撮影した画像ファイルのファイル名がＤＳＣＰ０１１４〜ＤＳＣＰ０１２０、もう１台のデジタルカメラで撮影した画像ファイルのファイル名がＤＳＣＰ０００１〜ＤＳＣＰ０００９であったとする。この合計１６枚の画像データをパソコンに取り込んで一元的に管理すべく１つのフォルダ内に保存し、画像ファイル名順に再生表示させたとする。すると、画像ファイルの再生表示の順番はファイル名の文字列の文字のアルファベット順及び数字順で判定されるので、ＤＳＣＰ０００１、ＤＳＣＰ０００２、ＤＳＣＰ０００３と続き、ＤＳＣＰ０００９の次にＤＳＣＰ０１１４、さらにＤＳＣＰ０１１５、ＤＳＣＰ０１１６と続き、最後がＤＳＣＰ０１２０の順番となる。
【００１４】
しかし、１台目のカメラでＤＳＣＰ０００１〜０００９の画像ファイルを撮影記録した後に、カメラを取り替えて、２台目のカメラでＤＳＣＰ０１１４〜０１２０を撮影したのでない限り、この画像ファイル名順による画像再生の順序は実際の画像撮影順に一致しない。また、撮影時刻順に画像ファイルを並べ替えて再生表示しても、上述の時差による撮影時刻と実際の撮影順との不一致が生じるため、実際の撮影順にはならない。結局、どのように対応しても、従来技術においては実際の撮影順とすることが不可能となる。
本発明はかかる課題に着目してなされてものであり、実際の撮影日時の順序に画像ファイルを再生表示できる方法、システム及びそのための記録あるいは再生表示装置の提供を目的としている。
【課題を解決するための手段】
【００１５】
本発明の画像ファイルの記録方法では、画像再生表示時に画像とともに表示可能な時刻情報を画像ファイルのヘッダ部にＥＸＩＦデータとして記録するとともに、デジタルカメラに固有の時刻情報を、画像ファイルの、前記ＥＸＩＦデータとして記録される時刻情報とは異なるヘッダ部に記録している。
【００１６】
本発明の画像記録再生表示方法では、撮像記録装置で被写体を撮像して画像ファイルとしてファイル名を付して記録手段に記録するに際し、当該記録手段に記録する画像ファイルを再生表示した際に当該表示画像とともに表示可能な第１の撮影時刻情報を当該画像ファイル内に記録するとともに、前記表示される撮影時刻とは別個に設定され当該撮像記録装置における撮影順を特定可能な第２の撮影時刻情報を当該画像ファイル内に記録し；前記第１の撮影時刻情報の時刻順の画像再生表示、前記第２の撮影時刻情報の時刻順の画像再生表示、画像ファイル名に基づく順番の画像再生表示のいずれかを実行可能であり、いずれの順番の画像再生においても前記第１の撮影時刻情報を再生画像とともに表示可能としている。
【００１７】
また、本発明の画像記録再生表示システムでは、撮像記録装置で被写体を撮像して画像ファイルとしてファイル名を付して記録手段に記録するに際し、当該記録手段に記録する画像ファイルを再生表示した際に当該表示画像とともに表示可能な第１の撮影時刻情報を当該画像ファイル内に記録するとともに、前記表示される撮影時刻とは別個に設定され当該撮像記録装置における撮影順を特定可能な第２の撮影時刻情報を当該画像ファイル内に記録する画像記録装置と；前記第１の撮影時刻情報の時刻順の画像再生表示、前記第２の撮影時刻情報の時刻順の画像再生表示、画像ファイル名に基づく順番の画像再生表示のいずれかを実行可能であり、いずれの順番の画像再生においても前記第１の撮影時刻情報を再生画像とともに表示可能とした画像再生表示装置とを有している。
【００１８】
さらに、本発明の画像記録装置では、撮像記録装置で被写体を撮像して画像ファイルとしてファイル名を付して記録手段に記録するに際し、当該記録手段に記録する画像ファイルを画像再生表示装置に再生表示した際に当該表示画像とともに表示可能な第１の撮影時刻情報を当該画像ファイル内に記録するとともに、前記表示される撮影時刻とは別個に設定され当該撮像記録装置における撮影順を特定可能な第２の撮影時刻情報を当該画像ファイル内に記録する画像記録装置であって；画像再生表示装置において、前記第１の撮影時刻情報の時刻順の画像再生表示、前記第２の撮影時刻情報の時刻順の画像再生表示、画像ファイル名に基づく順番の画像再生表示のいずれかを実行可能であり、いずれの順番の画像再生においても前記第１の撮影時刻情報を再生画像とともに表示可能としたことを特徴としている。
【００１９】
また、本発明の画像再生表示装置では、撮像記録装置で被写体を撮像して画像ファイルとしてファイル名を付して記録手段に記録するに際し、当該記録手段に記録する画像ファイルを再生表示した際に当該表示画像とともに表示可能な第１の撮影時刻情報を当該画像ファイル内に記録するとともに、前記表示される撮影時刻とは別個に設定され当該撮像記録装置における撮影順を特定可能な第２の撮影時刻情報を当該画像ファイル内に記録する画像記録装置によって記録された画像ファイルに対し；前記第１の撮影時刻情報の時刻順の画像再生表示、前記第２の撮影時刻情報の時刻順の画像再生表示、画像ファイル名に基づく順番の画像再生表示のいずれかを実行可能であり、いずれの順番の画像再生においても前記第１の撮影時刻情報を再生画像とともに表示可能としたことを特徴としている。
【発明の効果】
【００２０】
画像再生表示時に画像とともに表示可能な時刻情報が画像ファイルのヘッダ部にＥＸＩＦデータとして記録されるとともに、デジタルカメラに固有の時刻情報が、画像ファイルの、前記ＥＸＩＦデータとして記録される時刻情報とは異なるヘッダ部に記録されているため、固有の時刻情報にしたがって再生表示すれば、実際の撮影日時の順序に編集、記録できる。また、画像とともに表示される時刻と画像の内容との間に違和感を生じない。
【００２１】
本発明の画像記録再生表示方法によれば、表示画像とともに表示可能な第１の時刻情報と撮影順を特定可能な第２の時刻情報とをともに画像ファイル内に記録し、第１の撮影時刻情報の時刻順の画像再生表示、第２の撮影時刻情報の時刻順の画像再生表示、画像ファイル名に基づく順番の画像再生表示のいずれかを実行可能で、いずれの順番の画像再生においても前記第１の撮影時刻情報を再生画像とともに表示可能であるため、画像ファイルを実際の撮影日時の順序にしたがって再生表示でき、実際の撮影日時の順序に編集、記録できる。また、画像とともに表示される時刻と画像の内容との間に違和感を生じない。
【００２２】
本発明の画像記録再生表示システムによれば、表示画像とともに表示可能な第１の時刻情報と撮影順を特定可能な第２の時刻情報とをともに画像ファイル内に記録する画像記録装置と、第１の撮影時刻情報の時刻順の画像再生表示、前記第２の撮影時刻情報の時刻順の画像再生表示、画像ファイル名に基づく順番の画像再生表示のいずれかを実行可能で、いずれの順番の画像再生においても前記第１の撮影時刻情報を再生画像とともに表示可能な画像再生表示装置とを有しているため、画像ファイルを実際の撮影日時の順序にしたがって再生表示でき、実際の撮影日時の順序に編集、記録できる。また、画像とともに表示される時刻と画像の内容との間に違和感を生じない。
【００２３】
本発明の画像記録装置によれば、表示画像とともに表示可能な第１の時刻情報と撮影順を特定可能な第２の時刻情報とがともに画像ファイル内に記録され、第１の撮影時刻情報の時刻順の画像再生表示、第２の撮影時刻情報の時刻順の画像再生表示、画像ファイル名に基づく順番の画像再生表示のいずれかを実行可能で、いずれの順番の画像再生においても前記第１の撮影時刻情報を再生画像とともに表示可能であるため、画像ファイルを実際の撮影日時の順序にしたがって再生表示でき、実際の撮影日時の序に編集、記録できる。また、画像とともに表示される時刻と画像の内容との間に違和感を生じない。
【００２４】
本発明の画像再生表示装置によれば、表示画像とともに表示可能な第１の時刻情報と撮影順を特定可能な第２の時刻情報とを画像記録装置によってともに画像ファイル内に記録し、第１の撮影時刻情報の時刻順の画像再生表示、第２の撮影時刻情報の時刻順の画像再生表示、画像ファイル名に基づく順番の画像再生表示のいずれかを実行可能で、いずれの順番の画像再生においても前記第１の撮影時刻情報を再生画像とともに表示可能としているため、画像ファイルを実際の撮影日時の順序にしたがって再生表示でき、実際の撮影日時の順序に編集、記録できる。また、画像とともに表示される時刻と画像の内容との間に違和感を生じない。
【発明を実施するための最良の形態】
【００２５】
本発明では、表示画像とともに表示可能な第１の時刻情報（表示時刻情報）と撮影順を特定可能な第２の時刻情報（固有時刻情報）とをともに画像ファイル内に記録し、第１の撮影時刻情報の時刻順の画像再生表示、第２の撮影時刻情報の時刻順の画像再生表示、画像ファイル名に基づく順番の画像再生表示のいずれかを実行可能で、いずれの順番の画像再生においても前記第１の撮影時刻情報を再生画像とともに表示可能としている。
【実施例】
【００２６】
以下、図面を参照しながら本発明の実施例を詳細に説明する。ここで、図１は本発明の一実施例におけるカメラシステムを示し、本発明の一実施例におけるカメラシステムは、一眼レフタイプのデジタルカメラ１と、コンパクトタイプのデジタルカメラ２の２台のデジタルカメラから構成されている。
ここで、デジタルカメラ１、２はいずれもＡ社のカメラと仮定する。すなわち、画像ファイルのファイル名は、上記のように、デジタルカメラ１、２のいずれのカメラにおいても、ＤＳＣＰ０００１から付番が開始され、撮影記録が行なわれる度にファイル名の数字部分が増加し、ＤＳＣＰ０００２、ＤＳＣＰ０００３と増加する。デジタルカメラ１、２は、記録媒体を着脱自在に装着できるメモリカードスロット１１、２１を有し、記録媒体としてのメモリカード１２、２２が対応するメモリカードスロット１１、２１に着脱自在に装着される。
【００２７】
図２（Ａ）（Ｂ）は、デジタルカメラ１、２で撮影されてメモリカード１２、２２に記録された画像ファイルデータのデータ構造を示し、ＤＣＩＭという名称のフォルダの下にツリー構造で複数の画像ファイルが並列に記録されている。
デジタルカメラ１で撮影してメモリカード１２に記録保持された画像ファイルとして、図２（Ａ）に示すように、ＤＳＣＰ０１１４〜ＤＳＣＰ０１２０の７枚の画像ファイルがある。同様に、デジタルカメラ２で撮影してメモリカード２２に記録保持されている画像ファイルとして、図２（Ｂ）に示すように、ＤＳＣＰ０００１〜ＤＳＣＰ０００９の９枚の画像ファイルがある。即ち、デジタルカメラ２台で合計１６枚の画像ファイルが各デジタルカメラ１、２に装着された２枚のメモリカード１２、２２に分散して記録されている。
【００２８】
ここでは、デジタルカメラ１のファイル名がＤＳＣＰ０１１４から始まっており、それより少ない数字部分を有するＤＳＣＰ０００１〜０１１３が存在しない。これは、すでに画像ファイルを移動あるいは消去してしまったために画像ファイルそのものがメモリカード１２内に残っていないか、あるいは当該メモリカードを新規に装着する直前にデジタルカメラ１内に装着されていたメモリカード内にＤＳＣＰ０１１３までの画像ファイルがすでに記録されていたためである。デジタルカメラ１、２は、本発明の先行技術である特開平１０−１７７６４６号公報に記載のファイル名をリセットしない機能を有するものとして説明する。
【００２９】
図３は画像ファイル内のデータ構造を模式的に示しており、画像ファイル５０はヘッダ部５１と画像データ部５２とを有して構成されている。ヘッダ部５１には画像データに関する各種情報が格納され、画像データ部５２には１枚の画像データである画像情報そのものが格納される。ヘッダ部５１に格納される各種情報とは、ファイル名やＥＸＩＦデータをいうが、それ以外にも画像データに関連する分類コードや画像データの履歴情報、ＩＤ情報や印刷関連情報などのさまざまな情報を対象としてよい。実施例では、ヘッダ部の領域５１ａにファイル名が、領域５１ｂに既知のＥＸＩＦデータが格納される。また、領域５１ｃに、本発明の特徴的な構成であるデジタルカメラに固有な時刻（固有時刻、オリジナルタイム）の情報が格納される。固有時刻については後述する。さらに、領域５１ｄにそれ以外の画像データに関連する各種情報、たとえば、画像データに関連する分類コード、画像データの履歴情報、ＩＤ情報、印刷関連情報などが格納される。
【００３０】
図４はデジタルカメラ１の主要部のブロック図を示す。図４に示すように、撮影レンズ１３を介して得られた被写体像がＣＣＤ１４に結像され、結像された被写体像は光電変換されて撮像処理回路１５で必要な撮像処理が行なわれる。さらに、記録処理回路１６で例えばＪＰＥＧ形式の画像ファイルに変換され、インターフェース１７を介してメモリカード１２に記録される。ＬＣＤなどのディスプレイ１９は、メモリカードに記録される画像あるいはすでにメモリカード内に記録された画像を再生表示したり、カメラ操作あるいはカメラの各種機能やモード設定を行なう際の表示を行なう。ＣＣＤ１４、撮像処理回路１５、記録処理回路１６、インターフェース１７、ＬＣＤディスプレイ１９は中央処理回路（ＣＰＵ）１８で集中的に制御される。
ＣＰＵ１８は時計機能ブロック１８ａを持ち、時計機能ブロックはデジタルカメラ１の固有時計にあたる固有時刻及びユーザによって修正可能な表示時刻の２種類の時刻を生成可能な時計機能を有している。さらに、ＣＰＵ１８には操作スイッチ１０ａ〜１０ｆが接続され、操作スイッチによってデジタルカメラ１の各種機能やモードの設定、修正等がなされる。デジタルカメラ２も同様のブロック構成となっており、以下においても特に断らない限り、デジタルカメラ１、２は同様の構成となっている。
【００３１】
図５はパーソナルコンピュータ（パソコン）４の主要部のブロック図を示す。図５に示すように、パソコン４には、画像ファイルを取得するためのインターフェース４１が設けられている。例えば、パソコンカードスロットやＵＳＢコネクタなどがインターフェースに該当し、メモリカードスロットでもよい。さらに、パソコン４には、インターフェース４１から取得した画像ファイルを一時記憶するバッファメモリ４２と、大容量の記録手段であるハードディスクドライブ（ＨＤＤ）４３と、画像データの内容表示やユーザに対する情報通知などを行なうＬＣＤなどのディスプレイ４４と、コマンドの入力手段であるキーボード４５とが設けられており、これらは中央処理回路（ＣＰＵ）４６によって集中的に制御される。
【００３２】
図６はデジタルカメラの背面図を示す。図６において、デジタルカメラ１は一眼レフタイプのデジタルカメラとして説明するが、コンパクトタイプのデジタルカメラ２についても同様の構成となっている。
図６に示すように、デジタルカメラ１の背面１ａには、ＬＣＤディスプレイ１９が配置され、その脇に、操作スイッチとしてのメニューキー１０ａ、決定キー１０ｂが配置されている。そして、決定キー１０ｂの上下左右に選択キー１０ｃ、１０ｄ、１０ｅ、１０ｆが配置されている。もちろん、操作スイッチの種類、配置などは一例にすぎない。
【００３３】
次に、表示時刻及び固有時刻の修正の手順を説明する。まず、デジタルカメラ１のパワーオン状態においてメニューキー１０ａを操作する。すると、ＬＣＤディスプレイ１９はメニュー画面（図示しない）に切り換わり、表示されたメニュー画面のメニュー中から、選択キー１０ｃ〜１０ｆを使用して時刻修正モードを選択する。時刻修正モードが選択されると、ＬＣＤディスプレイ１９は図７に示す表示に切り換わる。
図７はデジタルカメラ背面のＬＣＤディスプレイ１９に時刻修正モードが表示されている状態を示し、図７に示すように、時刻修正モードとして、（１）表示時刻の修正を行なうモード、（２）固有時刻（オリジナルタイム）の修正を行なうモード、（３）表示時刻を固有時刻に一致させるモード、の３つのモードが表示される。ユーザは、ＬＣＤディスプレイ１９に表示された３つのモードのいずれかを選択キー１０ｃ、１０ｄで選択する。例えば、ユーザが選択キー１０ｃ、１０ｄを操作して３つのモードのうちの表示時刻の修正を行なうモードを選択して決定キー１０ｂを操作すると、ＬＣＤディスプレイ１９の表示は図８に示す時刻修正画面に移行する。
【００３４】
図８はデジタルカメラ背面のＬＣＤディスプレイの時刻修正画面を示す。図８に示すように、デジタルカメラに現在設定されている表示時刻である２００６年３月１５日１６時３４分が、ＬＣＤディスプレイ１９に表示され、西暦年号の下２桁部分の０６が枠で囲まれる。この状態で選択キー１０ｃ、１０ｄを操作すると、０６の数字部分が０７、０８あるいは０５、０４に修正される。ここで例えば、サンフランシスコなどの現地時刻に修正したい場合には、日本との時差である１７時間を戻すように日時を設定すればよい。枠部分の年号部分から月部分や日付部分への移動は選択キー１０ｅ、１０ｆで行なうことができ、その数字部分の修正は年号部分での修正と同様に、選択キー１０ｃ、１０ｄを操作することによってなされる。この修正によって、画像とともに表示可能な時刻情報を生成するためのＥＸＩＦデータとして画像ファイルのヘッダ部の領域５１ｂに記録される時刻データを発生する時計機能の時刻情報が修正される。
【００３５】
時刻修正が終了すると、決定キー１０ｂが操作される。すると、ＬＣＤディスプレイ１９の表示は図７に示す状態に復帰する。図７の状態でメニューキー１０ａを操作すると、メニュー画面（図示しない）に戻り、さらにメニューキーを操作すると、当初の初期画面に移行する。当初の初期画面は、カメラ撮影動作中であれば被写体のスルー動画像であり、カメラ再生中であれば再生画像表示状態である。
【００３６】
図７に示す３つの時刻修正モードのうちの固有時刻（オリジナルタイム）の修正モードを選択した場合も、図８の時刻修正画面に移行する。時刻の修正操作自体は、上述の表示時刻の修正と全く同じである。固有時刻の修正がなされると、ＥＸＩＦデータの記録されるヘッダ部の領域５１ｂとは異なる領域５１ｃに記録される固有時刻を生成する時計機能の時刻情報が修正される。
【００３７】
上述の表示時刻の修正は、海外旅行などのように日本との間に時差が存在する場合になされるのに対して、固有時刻の修正は、時計の動作誤差による時間遅れや時間進みの誤差修正のためになされる。また、バッテリー切れにより時計機能がリセットされた場合も固有時刻のリセットが必要となり、固有時刻の修正が行われる。しかし、例えばソーラーバッテリーによるバックアップなどによりバッテリー切れの発生がなく、かつ時計が電波時計であるため、時間遅れや時間進みが発生しなければ、固有時刻の修正機能を不要とすることも可能である。
【００３８】
図８に基づいて説明したように、通常、表示時刻の修正は年月日時分をそれぞれ修正設定してなされる。しかし、デジタルカメラ１のＬＣＤディスプレイ１９に世界地図を表示するか、あるいは複数地域のＧＭＴ（グリニッジ標準時）を表示するかして、その中からユーザの居る場所を選択キーで選択して時差を簡便に修正して、現地時刻に変更してもよい。また、ＧＰＳ（グローバルポジショニングシステム）をデジタルカメラ１に搭載し、そのＧＰＳ機能を利用してユーザの居る場所を自動的に選択する構成としてもよい。世界地図、ＧＭＴをＬＣＤディスプレイ１９に表示したり、ＧＰＳ機能を利用すれば、表示時刻の修正が迅速かつ正確に行なえる。
【００３９】
表示時刻の修正を行なうと、撮影時にＥＸＩＦデータとして記録される撮影日時情報が修正された時刻になる。即ち、画像を再生表示する際の撮影日時情報はこのＥＸＩＦデータを使用するので、修正された日時がデジタルカメラ背面のＬＣＤディスプレイ１９に表示され、上記のサンフランシスコの例においても現地時間が撮影画像とともに再生表示されるため、表示される時刻と画像の内容との間に違和感は生じない。ＥＸＩＦデータは異なるメーカー間での互換性が確保されているため、表示時刻はこのＥＸＩＦデータに基づいて決定するのが合理的でよい。
【００４０】
ここで表示時刻と固有時刻（オリジナルタイム）の関係についてさらに詳細に説明する。表示時刻は画像再生時に画像に表示を行なうための時刻であり、日本との間に時差が存在する場所においては修正されるのが望ましい。他方、固有時刻は時差の存在と無関係な日本時間そのものである。
本発明では、この固有時刻を画像ファイル内に記録することにより、表示時刻が修正、変更されても、固有時刻に基づいて画像の撮影順を特定できるようになっている。即ち、各画像ファイルには、画像再生表示に使用するための表示時刻情報と、画像の撮影順を特定するための固有時刻情報という２つの時刻情報が記録されている。
【００４１】
図７に戻って表示時刻、固有時刻を一致させるモード、具体的には表示時刻を固有時刻に一致させるモードについて説明する。
このモードは、時差のある海外で表示時刻を修正して撮影を行なった後に日本に帰国し、表示時刻を元の日本時間（固有時刻）に復帰させる場合に操作されるモードである。このモードを選択すると、「日本時間に復帰しますか？」という表示がデジタルカメラ１のＬＣＤディスプレイ１９になされ、決定キー１０ｂを操作することにより表示時刻が固有時刻に置き換えられる。この操作により、表示時刻の修正後に長い時間が経過し、表示時刻と固有時刻との間に、時差に加えて他の微妙な時計遅れや時計進みのずれが発生していても、これをリセットすることができる。また、日本時間への復帰動作は「日本時間に復帰しますか？」という表示に対する決定キー１０ｂのワンタッチ操作でなされる。つまり、表示時刻を固有時刻に置き換える（一致させる）モードを設定すれば、表示時刻が固有時刻にワンタッチで置き換えられて固有時刻と正確に一致し、図８に関して述べたような時刻修正操作が省略され、時刻修正が迅速、正確になされる。
【００４２】
次に、このデジタルカメラを使用して撮影を行なった場合に画像ファイル内に記録される時刻情報について説明する。
日本で撮影を行なう場合は、デジタルカメラ内の時計機能によって発生される時刻情報は、固有時刻、表示時刻ともに日本時間であり、同一の時刻情報となる。つまり、日本での撮影が例えば、２００５年１２月１５日１１時３３分であれば、ＥＸＩＦデータとして画像ファイルのヘッダ部の領域５１ｂに記録される時刻は２００５年１２月１５日１１時３３分であり、固有時刻として領域５１ｃに記録される時刻も同じ２００５年１２月１５日１１時３３分となる。また、日本出発後に表示時刻の修正を必要とするサンフランシスコへの渡航例の場合には、デジタルカメラの固有時刻に相当する日本時間２００６年１月１６日２時３０分に対して、ユーザによって修正された表示時刻は現地時間の２００６年１月１５日９時３０分となる。従って、サンフランシスコ到着の時点で撮影を行なうと、ＥＸＩＦデータとして領域５１ｂに記録される時刻は２００６年１月１５日９時３０分であり、固有時刻として領域５１ｃに記録される時刻は２００６年１月１６日２時３０分となる。
【００４３】
次に、このような２つの時刻情報（表示時刻情報、固有時刻情報）の記録された画像ファイルがデジタルカメラ１、２からパーソナルコンピュータ（パソコン）にコピーされた場合のパソコンでの画像再生について説明する。
パソコンにおける画像再生機能は、通常、画像ファイル名順か、画像ファイルの作成日時順かいずれかが選択可能になっている。画像ファイルの作成日時は、互換性を有する日時情報であるＥＸＩＦデータが適用される。従って、日本での撮影、時差のある海外（サンフランシスコ）での撮影の混在する実施例の撮影実態の場合には、通常のパソコンでは実際の撮影順での画像再生を行なうことができない。そのため、本発明では、撮影画像の再生表示は、専用の画像再生のためのソフトウエアを起動して動作されており、この専用のソフトウエアによる再生表示について説明する。
【００４４】
パソコン４のパワーオンの後、専用のソフトウエアを起動するとパソコンのディスプレイ４４の表示は、例えば図９に示すようになる。図９に示すように、ディスプレイ４４の表示画面４４ａ内には、画像の再生順を選択指定する操作指示エリア４４ｂ〜４４ｄ、撮影された画像を再生表示する表示エリア４４ｅ、表示エリア４４ｅに表示されている画像の前後の画像の縮小画像を表示する表示エリア４４ｆ〜４４ｊが配置されている。操作指示エリアのうち４４ｂは撮影された画像を画像ファイル名順に再生表示するモードを選択するスイッチ、４４ｃは撮影された画像を画像上に表示可能な撮影時刻順に再生表示するモードを選択するスイッチ、４４ｄは撮影された画像の実際の撮影順に再生表示するモードを選択するスイッチであり、４４ｂ〜４４ｄのいずれかのスイッチを選択して再生表示のモードが決定される。
【００４５】
実施例では、ユーザによる再生表示のモード選択が行われるまでの間は、デフォルトとして画像ファイル名順が自動選択されるが、これに限定されない。選択動作はスイッチ４４ｂ〜４４ｄのうちのいずれかをマウスあるいはキーボード４５で選択クリックすることによってなされる。表示エリア４４ｆ〜４４ｊに表示される縮小画像のうち、中央の表示エリア４４ｈの縮小画像は表示エリア４４ｅに通常サイズで現在表示されている画像の縮小画像であり、４４ｇはその前の画像再生順の縮小画像、４４ｆはさらにその前の画像再生順の縮小画像、４４ｉは４４ｈの次の画像再生順の縮小画像、４４ｊはさらにその次の画像再生順の縮小画像である。
【００４６】
上述したように、スイッチ４４ｂを選択した際の画像再生順は画像ファイル名に基づいて決定される。スイッチ４４ｃを選択した際の画像再生順は、ＥＸＩＦデータに相当する表示時刻に基づいて決定される。これに対して、スイッチ４４ｄを選択した際の画像再生順は、領域５１ｃに記録されたカメラ固有の時刻情報（固有時刻情報）に基づいて決定される。いずれの再生順を選択して再生表示させても画像とともに表示されるのは表示時刻であり、固有時刻情報は表示されない。固有時刻情報はあくまで撮影者による撮影順を特定するためだけの情報として利用されるものである。
このようにスイッチ４４ｄを選択すれば、実際の撮影順での再生が固有時刻情報に基づいて必ず確保される。即ち、固有の日本時間（固有時間）に基づいて画像再生順が特定される。そのため、複数台のデジタルカメラを併用してもその撮影時刻順に画像再生表示を行なうことが可能となり、さらには、複数台のデジタルカメラを併用して時差のある海外で撮影した場合にも撮影時刻順に画像再生表示を行なえ、実際の撮影日時の順序に編集、記録でき、きわめて有用なものとなる。
【００４７】
上記実施例は、この発明を説明するためのものであり、この発明を何等限定するものでなく、この発明の技術範囲内で上記以外の変形、改造等の施されたものも全てこの発明に包含されることはいうまでもない。
たとえば、実施例ではＡ社の一眼レフタイプのデジタルカメラ１、コンパクトタイプのデジタルカメラ２を含むカメラシステムに基づいて説明を行なったが、デジタルカメラは本発明の趣旨を逸脱しない範囲において任意の種類、台数の組み合せが可能であり、異なるメーカーのカメラを混在して使用することも可能である。
【００４８】
また、実施例ではデジタルカメラで撮影された画像データを対象としている。しかし、デジタルカメラに限定されず、デジタルカメラと同等の機能を持つものから画像データを得てもよい。例えば、カメラ機能により撮影したデータを記録媒体に記録し、メール機能によってパソコンヘデータを送信する携帯電話をデジタルカメラの代わりに利用できる。また、対象とする画像データは静止画に限定されず、動画でもよく、たとえばデジタルビデオカメラからの動画データを対象としてもよい。
【００４９】
さらに、実施例ではパーソナルコンピュータ（パソコン）を利用してデジタルカメラの画像データを一括して保存、管理して再生画像を表示している。しかし、パソコンに限定されず、同等の機能を持つものをパソコンの代わりに利用できる。例えば、ハードディスク、または記録媒体などのメモリ機能を有するカードリーダーなどの記録媒体、または、デジタルビデオカメラ、ＤＶＤレコーダープレイヤー、ハードディスク内蔵のテレビなどが利用できる。
【００５０】
上記のように、本発明では、画像再生表示時に再生画像とともに表示可能な時刻情報だけでなく、カメラ固有の時刻情報（固有時刻情報）も画像ファイル内に記録しているため、複数台のカメラを併用して時差のある海外でカメラの時刻を現地時間に修正して撮影を行なった場合でも、実際の撮影順で画像再生表示を行なうことができる。
【産業上の利用可能性】
【００５１】
本発明は、画像データにファイル名、撮影時刻などを付与して撮影記録されたデジタルカメラなどの画像データをパソコンなどで一括して保存し管理する画像記録再生システムに広範囲に応用できる。
【図面の簡単な説明】
【００５２】
【図１】本発明の一実施例におけるカメラシステムを示す。
【図２】（Ａ）（Ｂ）はデジタルカメラのメモリカードに記録された画像ファイルデータのデータ構造を示す。
【図３】画像ファイル内のデータ構造を模式的に示す。
【図４】デジタルカメラの主要部のブロック図を示す。
【図５】パーソナルコンピュータ（パソコン）のブロック図を示す。
【図６】デジタルカメラの背面図を示す。
【図７】デジタルカメラの背面のＬＣＤディスプレイの時刻修正モードを示す。
【図８】デジタルカメラの背面のＬＣＤディスプレイの時刻修正画面を示す。
【図９】専用のソフトウエアの読み込まれたパーソナルコンピュータ（パソコン）のディスプレイ表示を示す。
【符号の説明】
【００５３】
１、２    デジタルカメラ
４      パーソナルコンピュータ（パソコン）
１２、２２    メモリカード
１９    デジタルカメラ背面のＬＣＤディスプレイ
４４    パーソナルコンピュータのディスプレイ    
４４ａ    ディスプレイの表示画面
４４ｂ〜４４ｄ  画像の再生順を選択指定する操作指示エリア
４４ｅ    画像を再生表示する表示エリア
４４ｆ〜４４ｊ  縮小画像を表示する表示エリア
５０    画像ファイル
５１    ヘッダ部
５１ａ〜５１ｄ  領域
５２    画像データ部
【図１】
2007235741.tif 000003
【図２】
2007235741.tif 000004
【図３】
2007235741.tif 000005
【図４】
2007235741.tif 000006
【図５】
2007235741.tif 000007
【図６】
2007235741.tif 000008
【図７】
2007235741.tif 000009
【図８】
2007235741.tif 000010
【図９】
2007235741.tif 000011